(57)【要約】  本発明の電子線装置は、対物レンズ（５）や、バイプリズム（９１、９５）等を有し、複数の干渉光学系を構成することができる。そして、ユーザが干渉縞間隔（ｓ）と干渉領域幅（ｗ）等の干渉顕微鏡像のパラメータを入力するだけで、前記電子線装置の干渉光学系の条件が自動的に構築され、適切な状態に設定される。  これにより、広汎な技術レベルのユーザに対して、干渉顕微鏡像を汎用的に観察可能な電子線装置を提供できるようになった。
2010026867.tif 000002
【特許請求の範囲】
【請求項１】
対物レンズや、バイプリズムなどを有する電子線装置であって、
前記電子線装置は、複数の干渉光学系を構成し、
干渉縞間隔及び干渉領域幅を入力することにより、前記複数の干渉光学系を選択することを特徴とする電子線装置。
【請求項２】
請求項１において、前記干渉縞間隔及び前記干渉領域幅の入力により適正な光学系を構成できない場合には、再度前記干渉縞間隔及び前記干渉領域幅を入力できるようにしたことを特徴とする電子線装置。
【請求項３】
請求項１において、前記複数の干渉光学系のうち、選択できるものが複数ある場合には使用者にいずれかを選択できる選択手段をもうけたことを特徴とする電子線装置。
【請求項４】
請求項１において、前記複数の干渉光学系から選択された干渉光学系により倍率が定まることを特徴とする電子線装置。
【請求項５】
対物レンズや、バイプリズムなどを有する電子線装置であって、
前記電子線装置は、複数の干渉光学系を構成し、
フレネル縞を許容できるかどうかを選択できることを特徴とする電子線装置。
【請求項６】
請求項５において、フレネル縞の許容が否の場合には、干渉領域幅を入力することにより、可能な干渉光学系を選択することを特徴とする電子線装置。
【請求項７】
請求項５において、フレネル縞の許容の可の場合には、干渉縞間隔及び干渉領域幅の入力により、前記複数の干渉光学系を選択することを特徴とする電子線装置。
【請求項８】
請求項７において、前記干渉縞間隔及び前記干渉領域幅の入力により適正な光学系が存在しない場合には、再度前記干渉縞間隔及び前記干渉領域幅を入力できるようにしたことを特徴とする電子線装置。
【請求項９】
請求項７において、前記複数の干渉光学系が複数存在する場合には使用者にいずれかを選択できる選択手段をもうけたことを特徴とする電子線装置。
【請求項１０】
請求項７において、前記複数の干渉光学系から選択された干渉光学系により倍率が定まることを特徴とする電子線装置。
【請求項１１】
請求項６において、前記干渉領域幅の入力により適正な光学系が存在しない場合には、再度前記干渉領域幅を入力できるようにしたことを特徴とする電子線装置。
【請求項１２】
請求項６において、前記複数の干渉光学系が複数存在する場合には使用者にいずれかを選択できる選択手段をもうけたことを特徴とする電子線装置。
【請求項１３】
請求項６において、前記複数の干渉光学系から選択された干渉光学系により倍率が定まることを特徴とする電子線装置。
【請求項１４】
少なくとも、電子源と、レンズと、複数のバイプリズムを備える電子線装置であって、
電子線の進行方向に関して電子源の下流側に第１のレンズと、前記第１のレンズの下流側に第１のバイプリズムと、前記第１のバイプリズムの下流側に第２のバイプリズムを有する第１の電子線バイプリズム干渉光学系と、
電子源の下流側に前記第１のレンズと、前記第１のレンズの下流側に第１のバイプリズムと、前記第１のバイプリズムの下流側に第２のレンズと、前記第２のレンズの下流側に第２のバイプリズムを有する第２の電子線バイプリズム干渉光学系とを有し、
干渉縞間隔及び干渉領域幅を入力することにより、前記第１の電子線バイプリズム干渉光学系と、前記第２の電子線バイプリズム干渉光学系を選択できることを特徴とする電子線装置。
【請求項１５】
少なくとも、電子源と、レンズと、複数のバイプリズムを備える電子線装置であって、
電子源の下流側に第１のレンズと、前記第１のレンズの下流側に第１のバイプリズムと、前記第１のバイプリズムの下流側に第２のバイプリズムを有する第１の電子線バイプリズム干渉光学系と、
前記電子源の下流側に前記第１のレンズと、前記第１のレンズの下流側に第１のバイプリズムと、前記第１のバイプリズムの下流側に第２のレンズと、前記第２のレンズの下流側に第２のバイプリズムを有する第２の電子線バイプリズム干渉光学系と、
前記電子源の下流側に第１のバイプリズムと、前記第１のバイプリズムの下流側に前記第２のレンズと、前記第２のレンズの下流側に前記第２のバイプリズムを有する第３の電子線バイプリズム干渉光学系とを有し、
干渉縞間隔及び干渉領域幅を入力することにより、前記第１の電子線バイプリズム干渉光学系と、前記第２の電子線バイプリズム干渉光学系と、前記第３の電子線バイプリズム干渉光学系のいずれかを選択できることを特徴とする電子線装置。
【発明の詳細な説明】
【技術分野】
【０００１】
本発明は、電子線バイプリズムを用いた電子線装置に関する。
【背景技術】
【０００２】
本願の説明においては、電子線バイプリズムが用いられる。電子線バイプリズムは光学におけるフレネルの複プリズムと同じ作用をする電子光学系における装置で、電界型と磁界型の２種類がある。このうち、広く普及しているものは電界型電子線バイプリズムで、図１に示すような形状をしている。すなわち、中央部のフィラメント電極９とその電極を挟む形で保持される平行平板型接地電極９９から構成される。例えば、中央フィラメント電極９に正電圧を印加すると、図１中に示したごとく、フィラメント電極の近傍を通過する電子線は、フィラメント電極の電位を感じて互いに向き合う方向に偏向される（電子線の軌道２７参照）。図１中の電子軌道２７と垂直に平面２５が描かれているが、これは電子線を波として表現するときの等位相面であり、通常は電子軌道と垂直を成す面で一般的には波面と呼ばれる。【０００３】
中央フィラメント電極９から離れるほど電子線に作用する電位は小さくなるが作用している空間範囲が長いため、結果的には電子線の偏向角度は入射位置に依らず中央フィラメント電極９への印加電圧に比例する。すなわち、偏向角度αを電子線バイプリズムによる電子線の偏向角度とすると、中央フィラメント電極９への印加電圧Vfと偏向係数kを用いてα=k*Vfで表わされる簡単な関係を持つ。電子線の偏向角度αが入射位置に依らないことは電子光学装置としては重要な特徴で、平面波は平面波のまま伝播方向のみが偏向されて、電子線バイプリズムを射出することになる。これは光学ではちょうど２つのプリズムを合わせたバイプリズムの効果に対応することから、電子線バイプリズムと呼ばれている。【０００４】
電子線を偏向させるために電位を用いるものを電界型電子線バイプリズム、磁界と電子線とのローレンツ力を用いるものを磁界型電子線バイプリズムと呼ぶ。本願では、電界型電子線バイプリズムを用いて説明を行う。【０００５】
しかし、本発明は電子線バイプリズムとして電子線が干渉させられる装置であれば電界型、磁界型に依らず構成可能であり、説明で用いる電界型電子線バイプリズムに限定するものではない。また、本願において「電子線バイプリズム」と記載する場合には、中央フィラメント電極９を含んで広義に電子線偏向装置としての電子線バイプリズム全体を意味し、電子光学系に置ける厳密な位置に言及する場合は原則として「電子線バイプリズムの中央フィラメント電極」と記載する。【０００６】
電子線バイプリズムは光学におけるハーフミラーの様なビームスプリッターが無い電子線においては、電子線干渉を作り出すのに必須の装置である。その理由は図１にも明らかな様に、１つの電子線の波面２５を２波に分離するとともに互いに向き合う方向に偏向させる機能にある。この結果、電子線バイプリズムを通過し２波に分離された電子線は、電子線バイプリズムの下流側で重畳され干渉縞８を生じさせる。このような電子光学系を総称して、電子線干渉光学系と呼ぶ（非特許文献１参照）。【０００７】
＜１段電子線バイプリズム干渉計＞
電子線ホログラフィーに代表される最も一般的な電子線干渉計は、図２に示すごとく１段の電子線バイプリズムを対物レンズ５と試料３の像面７１との間に配置し、中央フィラメント電極９に正の電圧を印加することによって試料３を透過した電子線（物体波２１：図２では中央フィラメント電極９の左側を通過する電子線でハッチングを付けて示した）と試料３の無い側を透過した電子線（参照波２３：図２では中央フィラメント電極９の右側を通過する電子線）を重畳させて干渉顕微鏡像（３１と８：試料像３１に干渉縞８の重畳された画像）を得ている。このときの干渉縞間隔ｓと干渉領域幅Ｗとの間には一定の関係があり、試料面上に逆投影した干渉縞間隔ｓobjと干渉領域幅Ｗobjとして以下の数式にて表わされる。【０００８】
Sobj=(1/Mobj)＊(D＊λ/2＊α＊(D-L))・・・（１）【０００９】
Wobj=(1/Mobj)＊(2＊α＊L-(D＊df/(D-L)))・・・（２）【００１０】
ここでα（rad）は電子線バイプリズムによる電子線の偏向角度である。その他の文字は主に光学系における物体、レンズ、像など各要素間の距離に関するもので図２中に示している。すなわち、Ｄは対物レンズ直下の光源の像面１１から対物レンズ５による試料の像面７１までの距離、Ｌは電子線バイプリズムの中央フィラメント電極９と試料の像面７１までの距離である。また、dfは中央フィラメント電極９の直径であり、Ｍobjは対物レンズ５の倍率 Ｍobj = b/a（ａは試料３（物面）と対物レンズ５との距離、bは対物レンズ５と試料の像面７１との距離）である。【００１１】
式（１）、（２）からわかるように干渉縞間隔ｓobjと干渉領域幅Ｗobjは、ともに電子線の偏向角度αの関数となっており、中央フィラメント電極９への印加電圧Ｖfのみで互いに独立した制御を行うことは出来ない（例えば、非特許文献１参照）。【００１２】
なお、電子線をはじめとする荷電粒子線が電磁レンズを通過する際には、荷電粒子線には光軸を中心とした方位角の回転が生じるが、図２ではこの回転を省略して電子光学系として光軸２を含む等価な面を紙面に記載している。また、中央フィラメント電極９は紙面に垂直に配置されているものとし、電極の断面を小さな丸で示し、中央フィラメント電極９の両側の平行平板型接地電極９９は省略している。また、光源を含む照射系４を小さな四角形で描いているが、これは電子銃１、加速管４０（図４参照）、コンデンサレンズ系（４１、４２）（図４参照）など、試料３への電子線の照射にまつわる装置部分の意である。光学系の模式図におけるこの方位角の回転の省略や照射系などの表示の省略は、これ以降の図についても同様である。【００１３】
＜２段電子線バイプリズム干渉計＞
１段電子線バイプリズム干渉計の、干渉縞間隔ｓと干渉領域幅Ｗを独立に制御できないという欠点を解決するべく開発されたものが多段電子線バイプリズム干渉計である。多段電子線バイプリズム干渉計の内、最も簡単な構成である２段電子線バイプリズム干渉光学系を図３に示す。【００１４】
この光学系では、第１の電子線バイプリズム９１は対物レンズ５下流側の試料３の第１像面７１に配され、第２の電子線バイプリズム９５は第１像面７１よりも電子線の進行方向の下流側に位置する第１の結像系レンズ６１によって結像された光源の像面１２と、第１の結像系レンズの下流側の試料の第２像面７２との間で、かつ第１の電子線バイプリズムの中央フィラメント電極９１の陰の部分（図３中では濃いハッチングで表わした）に配置されている。【００１５】
図３では該両中央フィラメント電極９１，９５は、紙面に垂直に配置されている様に描かれているが、これは先述の光軸を含む電子光学的に同一な平面に垂直に配置していることを意味する。この構成による干渉顕微鏡像（３２と８）の２つのパラメータ、干渉縞間隔ｓと干渉領域幅Ｗは先述と同様に試料面上に逆投影して、干渉縞間隔ｓobjと干渉領域幅Ｗobjとして以下の数式で表わされる。【００１６】
Sobj=(1/Mobj)＊(1/MI1)＊(λ＊D2/(2＊((bs1/as1)＊D1＊α1+(D2-L2)＊α2)))・・・（３）【００１７】
Wobj=(1/Mobj)＊((2＊L2＊α2/MI1)-df1)・・・（４）【００１８】
ここでα1は第１の電子線バイプリズム９１による電子線の偏向角度であり、α2は第２の電子線バイプリズム９５による偏向角度である。ここでλとは波長である。また、その他の式中の文字は主に光学系における物体、レンズ、像など各要素間の距離に関するもので図３中に示している。【００１９】
すなわち、ａobjは試料３（物面）と対物レンズ５との距離、bobjは対物レンズ５と試料の第１の像面７１との距離、ａI1は試料の第１の像面７１（第１の結像レンズの物面）と第１の結像レンズ６１との距離、bI1は第１の結像レンズ６１と試料の第２像面７２との距離、ａs1は対物レンズ５直下の光源の像面１１と第１の結像レンズ６１との距離、bs1は第１の結像レンズ６１と第１の結像レンズ直下の光源の像面１２との距離、Ｄ1は対物レンズ直下の光源の像面１１から対物レンズによる試料の像面７１までの距離、Ｄ2は第１の結像レンズ直下の光源の像面１２から第１の結像レンズによる試料の像面７２（試料の第２像面）までの距離、Ｌ2は第２電子線バイプリズムの中央フィラメント電極９５と試料の第２像面７２までの距離である。また、Ｍobj、ＭI1はそれぞれこの結像光学系の倍率 Ｍobj = bobj/aobj、ＭI1 = bI1/aI1 （図３参照）であり、df1は第１の電子線バイプリズムの中央フィラメント電極の直径である。【００２０】
式（３）、（４）からわかるように干渉縞間隔ｓobjはα1およびα2の関数として表わされ、干渉領域幅Ｗobjはα2の関数として表わされており、完全に独立ではないが干渉顕微鏡像を得る操作の順を、
（１）第２の電子線バイプリズム９５への印加電圧を調整して所定の干渉領域幅Ｗに定める。
（２）第１の電子線バイプリズム９１への印加電圧を調整して所定の干渉縞間隔ｓを得る。
とすることによって実効上独立に制御できる。なお、第２の電子線バイプリズムの中央フィラメント電極９５を図３中の第１の結像レンズによる光源の像面１２に配置した場合、すなわちパラメータ Ｄ2−Ｌ2＝０のときはｓobjとＷobjについては完全独立に制御可能である。
【先行技術文献】
【特許文献】
【００２１】
【特許文献１】特開２００５−１９７１６５号公報
【特許文献２】United States Patent #7,102,145  by Domenicucci, et al. September 5, 2006
【特許文献３】特開２００７−３３５０８３号公報
【特許文献４】特開２００７−１１５４０９号公報
【非特許文献】
【００２２】
【非特許文献１】A. Tonomura： Electron Holography, 2nd ed. (Springer, Heidelberg. Germany,1999) Chapter 5.
【非特許文献２】Ken Harada, Akira Tonomura, Yoshihiko Togawa, Tetsuya Akashi and Tsuyoshi Matsuda： Applied Physics Letters, Vol. 84, (2004) 3229.
【非特許文献３】B. G. Frost, A. Thesen, D. C. Joy, Brendan Foran and Kanin Brand： J. Vac. Sci. Technol. B,  Vol. 22, (2004) 427.
【非特許文献４】Y.Y. Wang, M. Kawasaki, J. Bruley, M. Gribelyuk, A. Domeincucci and J. Gaudiello：Ultramicroscopy, Vol. 101, (2004) 63.
【非特許文献５】Ken Harada, Tetsuya Akashi, Yoshihiko Togawa, Tsuyoshi Matsuda and Akira Tonomura： Journal of Electron Microscopy, Vol. 54, (2005) 19.
【発明の概要】
【発明が解決しようとする課題】
【００２３】
一般的に干渉光学系では、干渉顕微鏡像、あるいはホログラムとして十分な情報を含んだ画像を得ようとすると、試料像の拡大倍率だけでなく、試料に重畳される干渉縞の間隔ｓ（空間分解能、位相分解能に関係する）や干渉領域幅Ｗ（干渉顕微鏡像として観察可能な範囲）も重要となる。有効な干渉顕微鏡像を得るには電子顕微鏡として予め用意されている光学系を用いるだけでは不十分である。図２と３、および式（１）〜（４）から明らかなように、干渉縞間隔ｓと干渉領域幅Ｗは試料像直上の光源の像（クロスオーバー）位置、電子線バイプリズムの位置、電子線バイプリズムによる電子線の偏向角度αによってコントロールされるので、目的に合致する干渉顕微鏡像を得るためには、例えば、対物レンズ以外の電子レンズの一部を弱励磁条件（通電量の少ない長焦点距離の状態）にし、虚像を含む光学系を構成する方法（電子顕微鏡の全光学系の再調整が必要：例えば、非特許文献３参照）や、磁気的に励磁の弱い（電子レンズの焦点距離の長い）対物レンズを用いて干渉縞間隔ｓと干渉領域幅Ｗの関係を調整する方法（対物レンズの交換が必要：例えば、非特許文献３参照）や、特別に準備された励磁の弱いレンズを付加し対物レンズと組を成して使用する方法（対物レンズの交換、および付加レンズのコントロール機構が必要：例えば、特許文献２、および非特許文献４参照）、試料位置や電子線バイプリズムの位置を光軸方向に移動させる方法（特許文献３参照）などの対策が採られている。【００２４】
しかし、これら対物レンズそのものへの工夫や操作上の工夫などは、干渉顕微鏡として広範な範囲の干渉縞間隔ｓと広範な範囲の干渉領域幅Ｗを含む像を実現するには役立つ方法であるが、いずれの干渉光学系においてもその構築には各電子レンズや偏向系を調整しなければならず、電子光学系に対する知識と取り扱いに関する熟練を要するのが実情である。【００２５】
本発明の目的は、干渉顕微鏡像のパラメータ（例えば、干渉縞間隔ｓと干渉領域幅Ｗ）を入力するだけで、電子顕微鏡の光学系条件は、干渉光学系として適切な状態に設定され、自動的に構築されるものを提供することにある。
【課題を解決するための手段】
【００２６】
本願発明は、対物レンズや、バイプリズムなどを有する電子線装置であって、前記電子線装置は、複数の干渉光学系を構成し、干渉縞間隔及び干渉領域幅を入力することにより、前記複数の干渉光学系を選択することを特徴とする。【００２７】
また、前記干渉縞間隔及び前記干渉領域幅の入力により適正な光学系を構成できない場合には、再度前記干渉縞間隔及び前記干渉領域幅を入力できるようにしたことを特徴とする。【００２８】
また、前記複数の干渉光学系のうち、選択できるものが複数ある場合には使用者にいずれかを選択できる選択手段をもうけたことを特徴とする。【００２９】
また、前記複数の干渉光学系から選択された干渉光学系により倍率が定まることを特徴とする。【００３０】
また、対物レンズや、バイプリズムなどを有する電子線装置であって、前記電子線装置は、複数の干渉光学系を構成し、フレネル縞を許容できるかどうかを選択できることを特徴とする。【００３１】
また、フレネル縞の許容が否の場合には、干渉領域幅を入力することにより、可能な干渉光学系を選択することを特徴とする。【００３２】
また、フレネル縞の許容の可の場合には、干渉縞間隔及び干渉領域幅の入力により、前記複数の干渉光学系を選択することを特徴とする。【００３３】
また、前記干渉縞間隔及び前記干渉領域幅の入力により適正な光学系が存在しない場合には、再度前記干渉縞間隔及び前記干渉領域幅を入力できるようにしたことを特徴とする。【００３４】
また、前記複数の干渉光学系が複数存在する場合には使用者にいずれかを選択できる選択手段をもうけたことを特徴とする。【００３５】
また、前記複数の干渉光学系から選択された干渉光学系により倍率が定まることを特徴とする。【００３６】
また、前記干渉領域幅の入力により適正な光学系が存在しない場合には、再度前記干渉領域幅を入力できるようにしたことを特徴とする。【００３７】
また、前記複数の干渉光学系が複数存在する場合には使用者にいずれかを選択できる選択手段をもうけたことを特徴とする。【００３８】
また、前記複数の干渉光学系から選択された干渉光学系により倍率が定まることを特徴とする。【００３９】
また、少なくとも、電子源と、レンズと、複数のバイプリズムを備える電子線装置であって、電子線の進行方向に関して電子源の下流側に第１のレンズと、前記第１のレンズの下流側に第１のバイプリズムと、前記第１のバイプリズムの下流側に第２のバイプリズムを有する第１の電子線バイプリズム干渉光学系と、電子源の下流側に前記第１のレンズと、前記第１のレンズの下流側に第１のバイプリズムと、前記第１のバイプリズムの下流側に第２のレンズと、前記第２のレンズの下流側に第２のバイプリズムを有する第２の電子線バイプリズム干渉光学系とを有し、干渉縞間隔及び干渉領域幅を入力することにより、前記第１の電子線バイプリズム干渉光学系と、前記第２の電子線バイプリズム干渉光学系を選択できることを特徴とする。【００４０】
また、少なくとも、電子源と、レンズと、複数のバイプリズムを備える電子線装置であって、電子源の下流側に第１のレンズと、前記第１のレンズの下流側に第１のバイプリズムと、前記第１のバイプリズムの下流側に第２のバイプリズムを有する第１の電子線バイプリズム干渉光学系と、前記電子源の下流側に前記第１のレンズと、前記第１のレンズの下流側に第１のバイプリズムと、前記第１のバイプリズムの下流側に第２のレンズと、前記第２のレンズの下流側に第２のバイプリズムを有する第２の電子線バイプリズム干渉光学系と、前記電子源の下流側に第１のバイプリズムと、前記第１のバイプリズムの下流側に前記第２のレンズと、前記第２のレンズの下流側に前記第２のバイプリズムを有する第３の電子線バイプリズム干渉光学系とを有し、干渉縞間隔及び干渉領域幅を入力することにより、前記第１の電子線バイプリズム干渉光学系と、前記第２の電子線バイプリズム干渉光学系と、前記第３の電子線バイプリズム干渉光学系のいずれかを選択できることを特徴とする。
【発明の効果】
【００４１】
本発明によれば、干渉顕微鏡像のパラメータ（例えば、干渉縞間隔ｓと干渉領域幅Ｗ）を入力するだけで、電子顕微鏡の光学系条件は、干渉光学系として適切な状態に設定され、自動的に構築される。【００４２】
これによって実験者は、例えば電子線バイプリズムの位置の微調整や偏向系の微調整、試料中の観察部位の選択とフォーカス合わせなど最終的な調整作業を行うだけで、適切な干渉顕微鏡像を得ることができる。さまざまな要求を持つ広範な技術レベルの実験者に対して、干渉顕微鏡像を汎用的に観察可能な電子線装置を提供できる。
【図面の簡単な説明】
【００４３】
【図１】電界型電子線バイプリズムと電子線の干渉の様子を示す模式図である。
【図２】１段電子線バイプリズム干渉計の光学系を示す模式図である。
【図３】２段電子線バイプリズム干渉計の光学系を示す模式図である。
【図４】本願の電子線装置全体を概観する模式図である。
【図５】汎用型電子顕微鏡に従来型２段電子線バイプリズム干渉計を組み込んだ場合の、高倍率の干渉顕微鏡像観察に対応した光学系を示す模式図である。
【図６】汎用型電子顕微鏡に従来型２段電子線バイプリズム干渉計を組み込んだ場合の、中倍率の干渉顕微鏡像観察に対応した光学系を示す模式図である。
【図７】汎用型電子顕微鏡に従来型２段電子線バイプリズム干渉計を組み込んだ場合の、低倍率の干渉顕微鏡像観察に対応した光学系を示す模式図である。
【図８】拡大結像系を成す一般型２段電子線バイプリズム干渉光学系を示す模式図である。
【図９】虚像拡大系を成す一般型２段電子線バイプリズム干渉光学系を示す模式図である。
【図１０】縮小結像系を成す一般型２段電子線バイプリズム干渉光学系を示す模式図である。
【図１１】試料に対する倍率と干渉縞間隔との関係を示す実施例１に関する模式図である。
【図１２】試料に対する倍率と干渉領域幅との関係を示す実施例１に関する模式図である。
【図１３】実施例１に関して干渉光学系構築までのシステムの流れを示す模式図である。
【図１４】試料に対する倍率と干渉縞間隔との関係を示す実施例２に関する模式図である。
【図１５】試料に対する倍率と干渉領域幅との関係を示す実施例２に関する模式図である。
【図１６】実施例２に関して干渉光学系構築までのシステムの流れを示す模式図である。
【発明を実施するための形態】
【００４４】
＜電子線装置＞
図４に本願に関するシステムとしての電子線装置全体を模式的に示す。図４は、汎用型の透過型電子顕微鏡を干渉顕微鏡に用いる場合を想定した模式図であるが、本願はこの模式図に記載の形態に限るものではない。
【００４５】
電子源としての電子銃１が電子線の流れる方向の最上流部に位置し、加速管４０にて所定の速度の電子流（以後、電子線と記述する）とされた後、照射光学系（コンデンサーレンズ４１、４２）を経て試料３に電子線が照射される。試料３を透過した電子線は、電子線の進行方向に、試料３よりも下流側の対物レンズ５にて結像される。この結像作用は、対物レンズ５よりも下流側の複数の結像レンズ系（６１、６２、６３、６４）に引き継がれ、最終的に電子線装置の観察記録面８９に結像される。その像８は、電子顕微鏡フィルムやＣＣＤカメラなど記録媒体７９を通じて、画像記録装置７７に記録される。電子線バイプリズムは、第１の電子線バイプリズム９１が対物レンズ５の下流側に、第２の電子線バイプリズム９５が第１の結像レンズ６１の下流側に位置している。それぞれの電子源１、加速管４０への印加電圧、試料位置と試料３の傾斜角度、および電子レンズの励磁状態、電子線バイプリズムの位置、電位の印加状態などの各要素が、コンピュータ５１に接続された制御系（１９、４９、４８、４７、３９、５９、９７、６９、９６、６８、６７、６６）でコントロールされている。実際の装置ではこの模式図で示した他に、電子線の進行方向を変化させる偏向系、電子線の透過する領域を制限する絞り機構などが存在し、それらの要素もまたコンピュータ５１に接続された制御系でコントロールされている。しかし、これらの装置は本願には直接的な関係が無いので、この図では割愛する。なお、この模式図に示すごとく、電子光学要素は真空容器１８中に組み立てられ、真空ポンプにて継続的に真空排気されている。真空系についても、本願とは直接の関係がないため割愛する。
【００４６】
＜干渉光学系の基本構成＞
本願では、広範な干渉顕微鏡像の観察条件に対応すると共に、汎用型電子顕微鏡の電子線干渉装置への利用を想定しているため、２段に電子線バイプリズムを用いる干渉光学系について検討する。まず、従来型２段電子線バイプリズム干渉光学計を中、低倍率像観察へ拡張した場合について検討し、続いて、フレネル縞の発生を許容する代わりに２段電子線バイプリズム干渉光学計の光学系構成の自由度を高めた系について検討する。
【００４７】
＜(1)従来型２段電子線バイプリズム干渉光学計の拡張＞
２段電子線バイプリズム干渉系の主たる光学系を結像レンズ系まで含めて図５に示す。この図５の光学系は、全結像レンズ系を拡大結像条件にて使用し高倍率を達成する、主として高分解能観察に用いられる光学系である。対応可能な倍率や干渉領域幅、干渉縞間隔は、具体的な電子線装置ごとに求めなければならないが、一例としては、３００ｋＶの加速電圧の電子線装置にて、２０万倍から１５０万倍程度が可能であることを確認している。
【００４８】
図６は、中間倍率用に構成した従来型２段電子線バイプリズム干渉光学系である。第１の電子線バイプリズムの中央フィラメント電極９１を試料の像面７１に配置する必要から対物レンズ５の利用条件が自ずから定まるため、試料３、対物レンズ５、第１の電子線バイプリズム９１までの構成は図５の光学系と同じとなる。結像レンズ系の内、第２番目のレンズ６２をオフとすることにより、最大到達倍率を小さくしている。図６に示したごとく、第２の電子線バイプリズム９５が、光源の像１２（クロスオーバー）の上流側に位置する場合があるので、この場合には、フィラメント電極９５への印加電位の正負を逆転させる必要がある。約３０万倍以下の倍率に対応可能である。
【００４９】
図７は、低倍率用に構成した従来型２段電子線バイプリズム干渉光学系である。これも試料、対物レンズ５、第１の電子線バイプリズム９１までの構成は、図５の光学系と同じである。第１の結像レンズ６１をオフとし、第２の結像レンズ６２によって縮小投影を行うことで、低倍率での結像を実現している。約４万倍以下の倍率に対応可能である。
【００５０】
図６、図７共に、結像レンズ系の内、１つのレンズをオフにして倍率の調整を行っている。この場合、１つのレンズの持つ自由度を失っているため、どちらの光学系も対応可能な倍率や干渉領域幅Ｗ、干渉縞間隔ｓに付いては、その対応可能な範囲は小さい。１MVホログラフィー電子顕微鏡のように、対物レンズ系に電子レンズを１段付加すれば、干渉光学系の構成への自由度は増加する（例えば、特許文献４、および非特許文献５参照）。
【００５１】
＜(2)一般型２段電子線バイプリズム干渉光学計（拡大結像系）＞
図８は、主に拡大結像に用いられる２段電子線バイプリズム干渉光学系である。試料３と試料の像面７１との間に、第１、第２の両電子線バイプリズムを挿入する。第２の電子線バイプリズムのフィラメント電極９５が、上段の電子線バイプリズムのフィラメント電極９１の陰の部分に配置される必要があるのみで、その他の位置関係について特別な限定をするものではない。干渉顕微鏡像（８と３１）にフレネル縞は重畳されるが、必要な干渉領域幅内に、必要な間隔の干渉縞を持った干渉顕微鏡像を得ることが可能である。
【００５２】
図８の構成による干渉顕微鏡像（８と３１）の２つのパラメータ、干渉縞間隔ｓと干渉領域幅Ｗは先述と同様に試料面上に逆投影して、干渉縞間隔ｓobjと干渉領域幅Ｗobjとして以下の数式で表わされる。
【００５３】
Sobj=(aobj/bobj)＊(D＊λ/(2＊((D-L2)*α2-(D-L1)＊α1))) ・・・（５）
【００５４】
Wobj=(aobj/bobj)＊(2＊L2＊α2-2＊L1＊α1-(D＊df1/(D-L1))) ・・・（６）
【００５５】
両式（５）、（６）ともに、両電子線バイプリズムによる電子線の偏向角α1、α2を含んでいる。すなわち、２つの電子線バイプリズムによる偏向角度α1、α2の組み合わせによって、電子レンズの焦点距離などを全く偏向することなく（すなわち試料の倍率を変更することなく）、干渉縞間隔ｓobjと干渉領域幅Ｗobjを必要な値に調整することが可能である。これは、例えば先に述べた非特許文献４に記載の焦点距離の長い弱励磁レンズと対物レンズの組み合わせにて干渉縞間隔ｓobjと干渉領域幅Ｗobjへの自由度を確保する方法（条件ごとに試料の倍率が異なる）と本質的に異なっている。
【００５６】
汎用型電子顕微鏡にて図８の光学系を構築するには、第１の結像レンズ６１（図７の６１参照）をオフとして対物レンズの像面７１を電子線の進行方向の下流側に下げ、対物レンズ５と対物レンズによる試料の像面７１までの間に、電子線バイプリズムを２本挿入するのが簡便な方法である。但し、第１の結像レンズ６１を１段オフとする場合には、最大倍率は３０万倍程度となることに注意しなければならない。
【００５７】
＜(3)一般型２段電子線バイプリズム干渉光学計（虚像拡大系）＞
図９は、主に数万倍から１０万倍程度の中倍率での干渉計に用いることができる一般型２段電子線バイプリズム干渉光学系である。試料３直下の電子レンズ（対物レンズ５）を弱励磁（焦点距離が長い）条件にて使用し、試料の上方に仮想的に存在する拡大された試料の虚像３６を対物レンズ５より下流側の第１の結像レンズ６１にて縮小結像する光学系である。本構成では、対物レンズ５と第１の結像レンズ６１を組み合わせて結像に用いており、対物レンズ５で虚像拡大、第１の結像レンズ６１で縮小結像を行うため、両レンズの組み合わせ方によって、中間倍率を確保することが可能となる。
【００５８】
図９の構成による干渉顕微鏡像（３２と８）の２つのパラメータ、干渉縞間隔ｓと干渉領域幅Ｗは先述と同様に試料面上に逆投影して、干渉縞間隔ｓobjと干渉領域幅Ｗobjとして、両電子線バイプリズムの偏向角α1、α2を含む形の数式で表わされる（ここでは割愛する）。
【００５９】
＜(4)一般型２段電子線バイプリズム干渉光学計（縮小結像系）＞
図１０は、主に数万倍以下の低倍率で、干渉領域幅Ｗを大きくとる場合に有効な光学系である。さらに、試料３と試料３直下の電子レンズ６１の距離を大きく取れるため、磁性材料など試料に対して電子レンズの磁場の浸漬を防ぐ場合に有効な必要な光学系でもある。
【００６０】
図１０の構成による干渉顕微鏡像（３２と８）の２つのパラメータ、干渉縞間隔ｓと干渉領域幅Ｗは先述と同様に試料面上に逆投影して、干渉縞間隔ｓobjと干渉領域幅Ｗobjとして、両電子線バイプリズムの偏向角α1、α2を含む形の数式で表わされる（ここでは割愛する）。
【００６１】
本願では、これら検討を加えた２つ以上の干渉光学系に関して、具体的な光学要素の諸条件を記憶させ、実験に必要な、例えば干渉領域幅Ｗobjなどのパラメータに合わせて光学系を選定し、その光学系の下での光学要素の動作条件を読み出し、必要ならば演算を加えて適切な条件設定を行い、設定に沿った干渉光学系を自動構築するシステムを提供する。
【実施例１】
【００６２】
２つの干渉光学系からなる、システムについて説明する。例えば、図８、図９に記載の２つの干渉光学系について、それぞれ、試料に対する倍率Ｍとそのときに実現可能な干渉縞間隔ｓobjを図１１に、試料に対する倍率Ｍと干渉領域幅Ｗobjを図１２に示す。両図中の枠内のプロットされた点は、実際に干渉光学系の構築が成された条件のところで、該光学系を構築するのに必要だった全ての動作条件（電子レンズ、偏向系、バイプリズムへの印加電圧など）が既知であり、データファイルとして記憶装置に記憶されている。図１１、図１２ともに、枠で囲んだ領域内は電源の性能等から達成可能と判断される干渉条件の領域であり、具体的な動作条件は、プロットされた点の条件から演算（例えばリニアに内挿、もしくは外挿など）によって求めることができる。枠外の領域は、その様な干渉条件（倍率と、そのときの干渉縞間隔と干渉領域幅）が、構築できないか、もしくは構築できても記録系の分解能から縞を縞として記録できない場合（例えば、図１１の左下部などにおいてＣＣＤ素子の画素サイズよりも細かな干渉縞となる場合）に該当する。【００６３】
このような電子線装置は図４に示すような構成を成すシステムで、入力処理、情報記憶/読出処理、演算処理、設定処理、動作処理などは、コンピュータにて行われ、コンピュータからの指示に基づいて制御系ユニットが、それぞれの光学要素を制御する。【００６４】
図１３に、当該システムによる干渉光学系のパラメータ入力から、光学系の構築までの流れ（フロー）をチャート化した。それぞれを説明する。【００６５】
（ステップ１）：実験者は、干渉光学系モードを選択する。【００６６】
（ステップ２）：システムは、干渉像のパラメータ干渉縞間隔ｓobj、干渉領域幅Ｗobjの入力待ち状態となる。【００６７】
（ステップ３）：実験者は、入力装置に干渉縞間隔ｓobj及び、干渉領域幅Ｗobjを入力する。【００６８】
（ステップ４）：記憶装置は、例えば図１１、図１２を得たデータファイルを参照し、実現可能な干渉光学系を検索する。【００６９】
（ステップ５）：(1)適切な光学系が見つかった場合には、構築する光学系を表示装置に表示する。(2)適切な光学系が見つからない場合には、表示装置にその旨を表示し、実験者にパラメータの再入力を指示する。→ステップ３へ戻る。【００７０】
（ステップ６）：(1)見つかった適切な光学系が１つの場合は、その光学系を表示装置に表示する。(2)見つかった適切な光学系が複数の場合は、その旨を表示し、実験者に選択を指示する。→実験者は、選択を入力する。【００７１】
（ステップ７）：構築する光学系の倍率を定める（例えば、構築可能な倍率の範囲の中間値近傍の区切りのよい倍率とすればよい）。【００７２】
（ステップ８）：(1)該当する倍率の記憶データがあるとき、記憶装置は当該記憶データを読み出す。(2)該当する倍率の記憶データが無いとき、演算装置は、近傍のデータを用いて動作条件データを作成する（例えば、２つの動作条件における各々のシステムへの通電量を、その条件からのはずれ量によって比例配分すればよい）。【００７３】
（ステップ９）：電子光学系の制御システムに、目的とする光学系を構築するための各要素の動作条件が設定される。【００７４】
（ステップ１０）：制御システムが動作し、光学系が設定条件を満足する干渉光学系に構築される。【００７５】
（ステップ１１）：電子線バイプリズムが光軸上に挿入され、中央フィラメント電極に設定された条件に基づく電圧が印加され、干渉光学系の自動構築が完成する。→システムは、パラメータの入力待ち状態に復する。→実験者は、干渉実験を行う。【００７６】
（ステップ１２）：実験者は、干渉光学系モードを終了する。【００７７】
ステップ１１の後、実験者は、試料の位置合わせを行なったり、偏向系の微調整、電子線バイプリズムの位置や中央フィラメント電極への印加電圧の微調整などを行い、希望の干渉顕微鏡が観察されればそれを記録する。最終盤の調整等には手動操作の部分を残しているのは、さまざまな実験のタイプ、試料の種類への対応の可能性を広げるためである。
【実施例２】
【００７８】
３つ以上の干渉光学系からなる場合についても、ほぼ同様のシステムを構築することができる。まず、複数の干渉光学系について、それぞれ、試料に対する倍率Ｍとそのときに実現可能な干渉縞間隔ｓobjを図１４に、試料に対する倍率Ｍと干渉領域幅Ｗobjの関係を図１５にそれぞれ模式的に示す。両図中の枠に囲まれた領域が、観察可能な干渉像の範囲である。これまでに述べたすべての干渉光学系を検討した結果、ひとつの倍率について、ほとんどの場合複数の光学系構築の可能性が描かれている。特に、両図中の太破線で囲まれた領域は、従来型の２段電子線バイプリズム干渉光学系で観察可能な干渉像の範囲である。干渉像中にフレネル縞が重畳されないこと、干渉縞間隔ｓobjを後から変更し易いなどの点から、従来型の２段電子線バイプリズム干渉光学系を優先に光学系を構築するのが良いと判断される。そのため、光学系の選択に当たっては、まず、従来型の２段電子線バイプリズム干渉光学系を優先的に選択するシステムとするのが合理的と考えられるが、もちろんこの限りではない。【００７９】
図１４、図１５ともに、枠で囲んだ領域内は電源の性能等から達成可能と判断される干渉条件の領域であり、具体的な動作条件は、プロットされた点の条件から演算（例えばリニアに内挿、もしくは外挿など）によって求めることができる。枠外の領域は、その様な干渉条件（倍率と、そのときの干渉縞間隔と干渉領域幅）が構築できないか、もしくは構築できても記録系の分解能から縞を縞として記録できない場合に該当する。これらの事情は実施例１の場合と同様である。【００８０】
また、このような電子線装置が図４に示すような構成を成し、入力処理、情報記憶/読出処理、演算処理、設定処理、動作処理などはコンピュータにて行われ、コンピュータからの指示に基づいて制御系ユニットが、それぞれの光学要素を制御するところも実施例１の場合と同様である。【００８１】
図１６に、当該システムによる干渉光学系のパラメータ入力から、光学系の構築までの流れ（フロー）をチャート化した。それぞれを説明する。ステップの引数は、光学系全体に関するものには１桁の数、従来の２段電子線バイプリズム干渉計に関するものには１０代の数、本願で提案した一般型２段電子線バイプリズム干渉計に関するものには２０代の数を付している。【００８２】
（ステップ１）：実験者は、干渉光学系モードを選択する。【００８３】
（ステップ２）：実験者は、フレネル縞の許容の可否を入力する。システムは、(1)フレネル縞否の場合は、従来型の２段バイプリズム干渉計（例えば、図５，６，７に記載など）を取り扱う。(2)フレネル縞可の場合には、記憶している全光学系（例えば、図５，６，７，８，９，１０に記載など）を取り扱う。【００８４】
（ステップ１１）：システムは、干渉像のパラメータ干渉領域幅Ｗobjの入力待ち状態となる。/（ステップ２１）：システムは、干渉像のパラメータ干渉縞間隔ｓobjと干渉領域幅Ｗobjの入力待ち状態となる。【００８５】
（ステップ１２）：実験者は、入力装置に干渉領域幅Ｗobjを入力する。/（ステップ２２）：実験者は、入力装置に干渉縞間隔ｓobjと干渉領域幅Ｗobjを入力する。【００８６】
（ステップ１３）：記憶装置は、データファイルを参照し実現可能な干渉光学系を検索する。/（ステップ２３）：記憶装置は、データファイルを参照し実現可能な干渉光学系を検索する。【００８７】
（ステップ１４）：(1)適切な光学系が見つかった場合には、構築する光学系を表示装置に表示する。(2)適切な光学系が見つからない場合には、表示装置にその旨を表示し、実験者に、(i)パラメータの再入力を指示する。→ステップ１２へ戻る。もしくは(ii)フレネル縞可の光学系への変更を指示する。→ステップ２１へ移る。/（ステップ２４）：(1)適切な光学系が見つかった場合には、構築する光学系を表示装置に表示する。(2)適切な光学系が見つからない場合には、表示装置にその旨を表示し、実験者にパラメータの再入力を指示する。→ステップ２２へ戻る。【００８８】
（ステップ１５）：(1)見つかった適切な光学系が１つの場合は、その光学系を表示装置に表示する。(2)見つかった適切な光学系が複数の場合は、その旨を表示し、実験者に選択を指示する。→実験者は、選択を入力する。/（ステップ２５）：(1)見つかった適切な光学系が１つの場合
は、その光学系を表示装置に表示する。(2)見つかった適切な光学系が複数の場合は、その旨を表示し、実験者に選択を指示する。→実験者は、選択を入力する。【００８９】
（ステップ１６）：構築する光学系の倍率を定める（例えば、構築可能な倍率の範囲の中間値近傍の区切りのよい倍率とすればよい）。/（ステップ２６）：構築する光学系の倍率を定める（例えば、構築可能な倍率の範囲の中間値近傍の区切りのよい倍率とすればよい）。【００９０】
（ステップ１７）：(1)該当する倍率の記憶データがあるとき、記憶装置は当該記憶データを読み出す。(2)該当する倍率の記憶データが無いとき、演算装置は、近傍のデータを用いて動作条件データを作成する（例えば、２つの動作条件における各々のシステムへの通電量を、その条件からのはずれ量によって比例配分すればよい）。/（ステップ２７）：(1)該当する倍率の記憶データがあるとき、記憶装置は当該記憶データを読み出す。(2)該当する倍率の記憶データが無いとき、演算装置は、近傍のデータを用いて動作条件データを作成する（例えば、２つの動作条件における各々のシステムへの通電量を、その条件からのはずれ量によって比例配分すればよい）。【００９１】
（ステップ３）：電子光学系の制御システムに、目的とする光学系を構築するための各要素の動作条件が設定される。【００９２】
（ステップ４）：制御システムが動作し、光学系が設定条件を満足する干渉光学系に構築される。【００９３】
（ステップ５）：電子線バイプリズムが光軸上に挿入され、中央フィラメント電極に設定された条件に基づく電圧が印加され、干渉光学系の自動構築が完成する。→システムは、パラメータの入力待ち状態に復する。→実験者は、干渉実験を行う。【００９４】
（ステップ６）：実験者は、干渉光学系モードを終了する。【００９５】
ステップ５の後、実験者は、試料の位置合わせを行なったり、偏向系の微調整、電子線バイプリズムの位置や中央フィラメント電極への印加電圧の微調整などを行い、希望の干渉顕微鏡が観察されればそれを記録する。さまざまな実験のタイプ、試料の種類への対応の可能性を広げるため、最終盤の調整等には手動操作の部分を残しているのは、実施例１と同様である。
【産業上の利用可能性】
【００９６】
本発明は、電子線バイプリズムを用いた電子線装置に利用可能である。
【符号の説明】
【００９７】
１…電子源もしくは電子銃、２…光軸、３…試料、４…照射光学系、５…対物レンズ、８…干渉縞、９…電子線バイプリズム中央フィラメント電極、１０…照射光学系による電子源の像（クロスオーバー）、１１…対物レンズにより結像されたクロスオーバーの像、１２…第１の結像レンズにより結像されたクロスオーバーの像、１３…第２の結像レンズにより結像されたクロスオーバーの像、１８…真空容器、１９…電子源の制御ユニット、２１…物体波、２２…電子線の波面、２３…参照波、２７…電子線の軌道、３１…対物レンズにより結像された試料の像、３２…第１の結像レンズにより結像された試料の像、３６…対物レンズ上方に位置する試料の虚像、３９…試料の制御ユニット、４０…加速管、４１…第１の照射（コンデンサ）レンズ、４２…第２の照射（コンデンサ）レンズ、４７…第２の照射レンズの制御ユニット、４８…第１の照射レンズの制御ユニット、４９…加速管の制御ユニット、５１…制御系コンピュータ、５２…制御系コンピュータのモニタ、５３…制御系コンピュータのインターフェース、５９…対物レンズの制御ユニット、６１…第１の結像レンズ、６２…第２の結像レンズ、６３…第３の結像レンズ、６４…第４の結像レンズ、６６…第４の結像レンズの制御ユニット、６７…第３の結像レンズの制御ユニット、６８…第２の結像レンズの制御ユニット、６９…第１の結像レンズの制御ユニット、７１…対物レンズによる試料の像面、７２…第１の結像レンズによる試料の像面、７３…第２の結像レンズによる試料の像面、７４…第３の結像レンズによる試料の像面、７５…第４の結像レンズによる試料の像面、７６…画像観察・記録装置のモニタ、７７…画像記録装置、７８…画像観察・記録媒体の制御ユニット、７９…画像観察・記録媒体、８９…観察・記録面、８１ｓ…構築可能な干渉条件（倍率と縞間隔）の領域、８１Ｗ…構築可能な干渉条件（倍率と干渉領域幅）の領域、８２ｓ…構築可能な干渉条件（倍率と縞間隔）の領域、８２Ｗ…構築可能な干渉条件（倍率と干渉領域幅）の領域、８３ｓ…構築可能な干渉条件（倍率と縞間隔）の領域、８３Ｗ…構築可能な干渉条件（倍率と干渉領域幅）の領域、８４ｓ…構築可能な干渉条件（倍率と縞間隔）の領域、８４Ｗ…構築可能な干渉条件（倍率と干渉領域幅）の領域、８５ｓ…構築可能な干渉条件（倍率と縞間隔）の領域、８５Ｗ…構築可能な干渉条件（倍率と干渉領域幅）の領域、８６ｓ…構築可能な干渉条件（倍率と縞間隔）の領域、８６Ｗ…構築可能な干渉条件（倍率と干渉領域幅）の領域、９１…第１の電子線バイプリズムの中央フィラメント電極、９５…第２の電子線バイプリズムの中央フィラメント電極、９９…平行平板接地電極。
【図１】
2010026867.tif 000003
【図２】
2010026867.tif 000004
【図３】
2010026867.tif 000005
【図４】
2010026867.tif 000006
【図５】
2010026867.tif 000007
【図６】
2010026867.tif 000008
【図７】
2010026867.tif 000009
【図８】
2010026867.tif 000010
【図９】
2010026867.tif 000011
【図１０】
2010026867.tif 000012
【図１１】
2010026867.tif 000013
【図１２】
2010026867.tif 000014
【図１３】
2010026867.tif 000015
【図１４】
2010026867.tif 000016
【図１５】
2010026867.tif 000017
【図１６】
2010026867.tif 000018
【国際調査報告】
2010026867.tif 000019
2010026867.tif 000020
2010026867.tif 000021
2010026867.tif 000022
2010026867.tif 000023
2010026867.tif 000024